(57)【要約】【課題】  バイパスラインの腐食問題を効果的に解決し、緊急時燃料ガスをバイパスラインへ即供給可能とし、安価な石炭ガス化プラントを提供することを目的とする。【解決手段】  石炭ガス化炉３、除塵装置５、ガス精製装置７およびガスタービン１１等と、それらを連結する主系統ライン１５と、主系統ライン１５における石炭ガス化炉３の出口側とフレアスタック３９とを連結するバイパスライン３３と、を備える石炭ガス化複合発電装置１において、バイパスライン３３の上流部に設けられ、バイパスライン３３の開閉を行う除塵装置バイパス弁３５と、バイパスライン３３の下流部に設けられ、流量調節を行う処理ガス調節弁４１と、除塵装置バイパス弁３５の下流側に設けられ、バイパスライン３３へ不活性ガスを供給する第一窒素投入ライン３７と、が備えられていることを特徴とする。【選択図】      図１
2006152081.tif 000002
【特許請求の範囲】
【請求項１】
石炭をガス化して燃料ガスを生成する石炭ガス化炉と、
前記燃料ガス中の固形分を除去する除塵装置と、
前記燃料ガス中の硫化物等を取り除いて燃料としてガスタービンへ供給するガス精製装置と、
前記石炭ガス化炉、前記除塵装置、前記ガス精製装置および前記ガスタービン等を連結する主系統ラインと、
前記主系統ラインにおける前記石炭ガス化炉の出口側とガス処理設備とを連結するバイパスラインと、を備える石炭ガス化プラントにおいて、
前記バイパスラインの上流部に設けられ、前記バイパスラインの開閉を行うバイパス弁と、
前記バイパスラインの下流部に設けられ、流量調節を行う処理ガス調節弁と、
前記バイパス弁の下流側に設けられ、前記バイパスラインへ不活性ガスを供給する第一不活性ガス投入ラインと、
が備えられていることを特徴とする石炭ガス化プラント。
【請求項２】
前記主系統ラインにおける前記除塵装置と前記ガス精製装置との間と、前記バイパスラインとを連結する第一分岐ラインと、
該第一分岐ラインに設けられた第一分岐バイパス弁と、
該第一分岐バイパス弁の下流側に設けられた第二不活性ガス投入ラインと、
が備えられていることを特徴とする請求項１に記載の石炭ガス化プラント。
【請求項３】
前記主系統ラインにおける前記ガス精製装置の出口部と、前記バイパスラインとを連結する第二分岐ラインと、
該第二分岐ラインに設けられた第二分岐バイパス弁と、
該第二分岐バイパス弁の下流側に設けられた第三不活性ガス投入ラインと、
が備えられていることを特徴とする請求項１または請求項２に記載の石炭ガス化プラント。
【請求項４】
石炭ガス化炉によって石炭から燃料ガスを生成し、除塵装置によって該燃料ガスから固形分を除去し、次いでガス精製装置によって脱硫等をしてガスタービンに燃料として供給する石炭ガス化プラントの運転方法において、
起動時、前記石炭ガス化炉の出口部から分岐してガス処理設備に接続されるバイパスラインに流入される前記燃料ガスを、前記バイパスラインに設けられた前記バイパス弁を閉じた後、バイパス弁の下流側に供給される不活性ガスによって前記バイパスラインから排出するとともに、通常運転時、前記不活性ガスによって前記バイパスライン内の圧力を前記燃料ガスの圧力と略同水準に維持することを特徴とする石炭ガス化プラントの運転方法。
【請求項５】
起動時、前記除塵装置の出口部から分岐して前記バイパスラインに接続される第一分岐ラインに流入される前記燃料ガスを、前記第一分岐ラインに設けられた第一分岐弁を閉じた後、前記第一分岐弁の下流側に不活性ガスによって前記第一分岐ラインおよび前記バイパスラインから排出するとともに、通常運転時、前記不活性ガスによって前記第一分岐ライン内および前記バイパスライン内の圧力を前記燃料ガスの圧力と略同水準に維持することを特徴とする請求項４に記載の石炭ガス化プラントの運転方法。
【請求項６】
起動時、前記ガス精製装置の出口部から分岐して前記バイパスラインに接続される第二分岐ラインに流入される前記燃料ガスを、前記第二分岐ラインに設けられた第二分岐弁を閉じた後、前記第二分岐弁の下流側に供給される不活性ガスによって前記第二分岐ラインおよび前記バイパスラインから排出するとともに、通常運転時、前記不活性ガスによって前記第二分岐ライン内および前記バイパスライン内の圧力を前記燃料ガスの圧力と略同水準に維持することを特徴とする請求項４または請求項５に記載の石炭ガス化プラントの運転方法。
【発明の詳細な説明】
【技術分野】
【０００１】
本発明は、石炭をガス化してガスタービン等の燃料として利用する石炭ガス化プラントおよびその運転方法に関するものである。
【背景技術】
【０００２】
従来、石炭ガス化プラントは、埋蔵量の豊富な石炭を有効に活用するものとして注目されている。このような石炭ガス化プラントでは、起動時に下流側で活用できない燃料ガスを系外に排出するため、および通常停止時あるいは緊急停止時にプラント内を減圧するため、プラント内の燃料ガスを排出するバイパスラインが備えられている。このバイパスラインを流れる燃料ガスは腐食性を有するので、バイパスラインの腐食対策が求められている。
このような腐食対策を施した石炭ガス化プラントとして、例えば特許文献１に示されるものが提案されている。
これは、バイパスラインに配置されたその開閉を行うバイパス弁の上流側に、ラインを加熱するヒータを設け、バイパス弁の上流側を加熱して燃料ガスが凝縮するのを防止するものである。また、これに加えてバイパス弁の上流側に水分の少ないガスを注入して、バイパスラインへの燃料ガスの流入を防止するものである。
【０００３】
【特許文献１】特開平１０−２９８５６３号公報（段落［０００３］〜［０００７］，及び図１〜図３）
【発明の開示】
【発明が解決しようとする課題】
【０００４】
ところで、特許文献１に記載されたものは、起動時の処理を対象とするものであり、運転時も含めた腐食対策としては不十分であった。
運転時、石炭ガス化プラントに不具合が発生した場合、燃料ガスをバイパスラインに流し、プラント内を減圧してプラントを停止する必要がある。この時、緊急に処理するためには、バイパスラインの圧力をプラント内と略同一圧力としておく必要がある。そうしないと、約３ＭＰａの燃料ガスが大気圧下のバイパスラインに流入すると、流入速度が音速にまでなり、バイパス弁およびバイパスラインが急速に磨耗して損傷を生じることになる。このため、従来のものでは、通常運転時にバイパス弁を開いて燃料ガスをバイパスラインに流入させ、滞留させて圧力を均衡させざるを得なかった。バイパスラインの腐食を防止するには、燃料ガスが凝縮するのを防止するため加熱する、または、バイパスラインを高価な耐腐食性材料で形成していた。
ガス処理設備は、プラント近傍に配置できない場合が多く、バイパスラインが長くなり製造コストが増加するという問題があった。
【０００５】
本発明は、上記問題点に鑑み、バイパスラインの腐食問題を効果的に解決し、緊急時燃料ガスをバイパスラインへ即供給可能とし、安価な石炭ガス化プラントを提供することを目的とする。
【課題を解決するための手段】
【０００６】
上記課題を解決するために、本発明は以下の手段を採用する。
すなわち、本発明にかかる石炭ガス化プラントは、石炭をガス化して燃料ガスを生成する石炭ガス化炉と、前記燃料ガス中の固形分を除去する除塵装置と、前記燃料ガス中の硫化物等を取り除いて燃料としてガスタービンへ供給するガス精製装置と、前記石炭ガス化炉、前記除塵装置、前記ガス精製装置および前記ガスタービン等を連結する主系統ラインと、前記主系統ラインにおける前記石炭ガス化炉の出口側とガス処理設備とを連結するバイパスラインと、を備える石炭ガス化プラントにおいて、前記バイパスラインの上流部に設けられ、前記バイパスラインの開閉を行うバイパス弁と、前記バイパスラインの下流部に設けられ、流量調節を行う処理ガス調節弁と、前記バイパス弁の下流側に設けられ、前記バイパスラインへ不活性ガスを供給する第一不活性ガス投入ラインと、が備えられていることを特徴とする。
【０００７】
石炭ガス化炉起動時には、石炭ガス火炉により生成された燃料ガスは、例えば低カロリである等燃料として不十分であるので、石炭ガス化炉が十分な条件となるまで主系統ラインではなくバイパスラインに流入させられ、ガス処理装置で処理され、系外に排出されている。
本発明によれば、石炭ガス化炉の昇温昇圧が完了され、バイパス弁が閉じられた後、第一不活性ガス投入ラインからバイパス弁の下流側に不活性ガスを供給し、バイパスラインに残留した燃料ガスをガス処理設備へ排出する。残留した燃焼ガスの排出後も、第一不活性ガス投入ラインから不活性ガスを供給し、バイパス弁から洩れる燃料ガスをガス処理装置へ排出するとともに処理ガス調節弁によってバイパスラインの圧力を主系統ラインと略同等になるように調節される。
【０００８】
このように、起動時、バイパスラインに流入した燃料ガスおよび通常運転時、バイパス弁から洩れる燃料ガスは、第一不活性ガス投入ラインから供給される不活性ガスによってガス処理設備へ排出されるので、燃料ガスがバイパスラインに滞留することがなくなる。このため、燃料ガスが冷えて結露し硫酸等の腐食物質が発生することがなくなるので、バイパスラインでの腐食発生を効果的に防止できる。
また、バイパスラインの腐食対策として、結露しないようにバイパスラインを加熱するあるいはバイパスラインを高価な耐腐食性材料で形成するといった手段が不要となるので、石炭ガス化プラントを安価に製造できる。
【０００９】
さらに、通常運転中、バイパスラインの圧力は、主系統ラインの圧力と略同等に維持されているので、バイパス弁を開いても未燃焼チャー等の粉塵を含む燃料ガスが例えば音速のような超高速でバイパスラインに噴出することはない。このため、運転中にバイパスラインの損傷を考慮することなくバイパス弁を開放できるので、緊急時あるいは停止時に即座にバイパス弁を開放し、主系統ライン中の機器の減圧を行うことができる。
なお、不活性ガスとしては、入手し易さおよび価格等からみて窒素ガスが好適である。
【００１０】
また、本発明の石炭ガス化プラントでは、前記主系統ラインにおける前記除塵装置と前記ガス精製装置との間と、前記バイパスラインとを連結する第一分岐ラインと、該第一分岐ラインに設けられた第一分岐バイパス弁と、該第一分岐バイパス弁の下流側に設けられた第二不活性ガス投入ラインと、が備えられていることを特徴とする。
【００１１】
石炭ガス化炉を起動した後に除塵装置を起動する場合には、バイパス弁を閉じ、第一分岐バイパス弁を開く。これにより石炭ガス化炉で生成された燃料ガスは、除塵装置にて未燃焼チャー等が分離され、第一分岐ラインを経由してバイパスラインに流入され、ガス処理装置で処理され、系外に排出される。
本発明によれば、除塵装置の起動処理が完了され、第一分岐バイパス弁が閉じられた後、第二不活性ガス投入ラインから第一分岐バイパス弁の下流側に不活性ガスを供給し、第一分岐ラインに残留した燃料ガスをガス処理設備へ排出する。残留した燃焼ガスの排出後も、第二不活性ガス投入ラインから不活性ガスを供給し、第一分岐バイパス弁から洩れる燃料ガスをガス処理装置へ排出するとともに処理ガス調節弁によってバイパスラインの圧力を主系統ラインと略同等になるように調節される。
【００１２】
このように、起動時、第一分岐ラインに流入した燃料ガスおよび通常運転時、第一分岐バイパス弁から洩れる燃料ガスは、第二不活性ガス投入ラインから供給される不活性ガスによってガス処理設備へ排出されるので、第一不活性ガス投入ラインからの不活性ガスとあいまって燃料ガスが第一分岐ラインおよびバイパスラインに滞留することがなくなる。
このため、燃料ガスが冷えて結露し硫酸等の腐食物質が発生することがなくなるので、第一分岐ラインおよびバイパスラインでの腐食発生を効果的に防止できる。
また、第一分岐ラインおよびバイパスラインの腐食対策として、結露しないようにこれらを加熱するあるいはこれらを高価な耐腐食性材料で形成するといった手段が不要となるので、石炭ガス化プラントを安価に製造できる。
【００１３】
また、通常運転中、バイパスラインおよび第一分岐ラインの圧力は、主系統ラインの圧力と略同等に維持されているので、バイパス弁あるいは第一分岐バイパス弁を開いても燃料ガスが例えば音速のような超高速でバイパスラインあるいは第一分岐ラインに噴出することはない。このため、運転中にバイパスライン等の損傷を考慮することなくバイパス弁を開放できるので、緊急時あるいは停止時に即座にバイパス弁を開放し、主系統ライン中の機器の減圧を行うことができる。
【００１４】
さらに、本発明の石炭ガス化プラントは、前記主系統ラインにおける前記ガス精製装置の出口部と、前記バイパスラインとを連結する第二分岐ラインと、該第二分岐ラインに設けられた第二分岐バイパス弁と、該第二分岐バイパス弁の下流側に設けられた第三不活性ガス投入ラインと、が備えられていることを特徴とする。
【００１５】
例えば、石炭ガス化炉および除塵装置を起動した後にガス精製装置を起動する場合には、バイパス弁および第一分岐バイパス弁は閉じられ、第二分岐バイパス弁が開かれる。これにより石炭ガス化炉で生成された燃料ガスは、除塵装置およびガス精製装置を通り、第二分岐ラインを経由してバイパスラインに流入され、ガス処理装置で処理され、排出される。
本発明によれば、ガス精製装置の起動処理が完了され、第二分岐バイパス弁が閉じられた後、第三不活性ガス投入ラインから第二分岐バイパス弁の下流側に不活性ガスを供給し、第二分岐ラインに残留した燃料ガスをガス処理設備へ排出する。残留した燃焼ガスの排出後も、第三不活性ガス投入ラインから不活性ガスを供給し、第二分岐バイパス弁から洩れる燃料ガスをガス処理装置へ排出するとともに処理ガス調節弁によってバイパスラインの圧力を主系統ラインと略同等になるように調節する。
【００１６】
このように、起動時、第二分岐ラインに流入した燃料ガスおよび通常運転時、第二分岐バイパス弁から洩れる燃料ガスは、第三不活性ガス投入ラインから供給される不活性ガスによってガス処理設備へ排出されるので、第一不活性ガス投入ラインおよび第二不活性ガス投入ラインからの不活性ガスとあいまって燃料ガスが第一分岐ライン、第二分岐ラインおよびバイパスラインに滞留することがなくなる。
このため、燃料ガスが冷えて結露し硫酸等の腐食物質が発生することがなくなるので、第一分岐ライン、第二分岐ラインおよびバイパスラインでの腐食発生を効果的に防止できる。
また、第二分岐ラインおよびバイパスラインの腐食対策として、結露しないようにこれらを加熱するあるいはこれらを高価な耐腐食性材料で形成するといった手段を行う必要がなくなるので、石炭ガス化プラントを安価に製造できる。
なお、第一不活性ガス投入ラインから供給される不活性ガスによって例えば第一分岐ラインの第一分岐バイパス弁よりも下流側の部分に残留している燃料ガスを排出できる場合には、第二不活性ガス投入ラインを省略することができる。
【００１７】
本発明の石炭ガス化プラントの運転方法は、石炭ガス化炉によって石炭から燃料ガスを生成し、除塵装置によって該燃料ガスから固形分を除去し、次いでガス精製装置によって脱硫等をしてガスタービンに燃料として供給する石炭ガス化プラントの運転方法において、
起動時、前記石炭ガス化炉の出口部から分岐してガス処理設備に接続されるバイパスラインに流入される前記燃料ガスを、前記バイパスラインに設けられたバイパス弁を閉じた後、該バイパス弁の下流側に供給される不活性ガスによって前記バイパスラインから排出するとともに、通常運転時、常時供給される前記不活性ガスによって前記バイパスライン内の圧力を前記燃料ガスの圧力と略同水準に維持することを特徴とする。
【００１８】
本発明によると、起動時、バイパスラインに流入した燃料ガスがバイパス弁の下流側に供給される不活性ガスによってガス処理設備へ排出される。そして、通常運転時には、不活性ガスが常時供給されているので、バイパス弁から洩れる燃料ガスは不活性ガスによりガス処理設備へ排出される。また、この場合、バイパスラインを流れるのはほとんど不活性ガスとなる。
このように、燃料ガスがバイパスラインに滞留しないので、燃料ガスが冷えて結露し硫酸等の腐食物質が発生することがない。したがって、バイパスラインでの腐食発生を効果的に防止できる。
また、バイパスラインの腐食対策として、結露しないようにバイパスラインを加熱するあるいはバイパスラインを高価な耐腐食性材料で形成するといった手段が不要となるので、石炭ガス化プラントを安価に製造できる。
さらに、通常運転時、バイパスライン内の圧力は燃料ガスの圧力と略同水準に維持されているので、緊急時に燃料ガスをバイパスラインの損傷を考慮することなく即座にバイパスラインへ流入させ、プラント内を減圧させることができる。
【００１９】
また、本発明の石炭ガス化プラントの運転方法は、起動時、前記除塵装置の出口部から分岐して前記バイパスラインに接続される第一分岐ラインに流入される前記燃料ガスを、前記第一分岐ラインに設けられた第一分岐弁を閉じた後、前記第一分岐弁の下流側に供給される不活性ガスによって前記第一分岐ラインおよび前記バイパスラインから排出し、通常運転時、常時供給される前記不活性ガスによって前記第一分岐ライン内および前記バイパスライン内の圧力を前記燃料ガスの圧力と略同水準に維持することを特徴とする。
【００２０】
本発明によると、起動時、第一分岐ラインに流入した燃料ガスが第一分岐弁の下流に供給される不活性ガスによってガス処理設備へ排出される。そして、通常運転時には、不活性ガスが常時供給されているので、第一分岐弁から洩れる燃料ガスは不活性ガスによりガス処理設備へ排出される。また、この場合、バイパスラインを流れるのはほとんど不活性ガスとなる。
このように、燃料ガスが第一分岐ラインおよびバイパスラインに滞留しないので、燃料ガスが冷えて結露し硫酸等の腐食物質が発生することがない。したがって、第一分岐ラインおよびバイパスラインでの腐食発生を効果的に防止できる。
また、バイパスライン等の腐食対策として、結露しないようにバイパスライン等を加熱するあるいはバイパスライン等を高価な耐腐食性材料で形成するといった手段が不要となるので、石炭ガス化プラントを安価に製造できる。
さらに、通常運転時、第一分岐ラインおよびバイパスライン内の圧力は燃料ガスの圧力と略同水準に維持されているので、緊急時に燃料ガスを第一分岐ラインおよびバイパスラインの損傷を考慮することなく即座にそれらへ流入させ、プラント内を減圧させることができる。
【００２１】
さらに、本発明の石炭ガス化プラントの運転方法は、起動時、前記ガス精製装置の出口部から分岐して前記バイパスラインに接続される第二分岐ラインに流入される前記燃料ガスを、前記第二分岐ラインに設けられた第二分岐弁を閉じた後、前記第二分岐弁の下流側に供給される不活性ガスによって前記第二分岐ラインおよび前記バイパスラインから排出するとともに、通常運転時、前記不活性ガスによって前記第二分岐ライン内および前記バイパスライン内の圧力を前記燃料ガスの圧力と略同水準に維持することを特徴とする。
【００２２】
本発明によると、起動時、第二分岐ラインに流入した燃料ガスが第二分岐弁の下流に供給される不活性ガスによってガス処理設備へ排出される。そして、通常運転時には、不活性ガスが常時供給されているので、第二分岐弁から洩れる燃料ガスは不活性ガスによりガス処理設備へ排出される。また、この場合、バイパスラインを流れるのはほとんど不活性ガスとなる。
このように、燃料ガスが少なくとも第二分岐ラインおよびバイパスラインに滞留しないので、燃料ガスが冷えて結露し硫酸等の腐食物質が発生することがない。したがって、第二分岐ラインおよびバイパスラインでの腐食発生を効果的に防止できる。
また、バイパスライン等の腐食対策として、結露しないようにバイパスライン等を加熱するあるいはバイパスライン等を高価な耐腐食性材料で形成するといった手段が不要となるので、石炭ガス化プラントを安価に製造できる。
さらに、通常運転時、少なくとも第二分岐ラインおよびバイパスライン内の圧力は燃料ガスの圧力と略同水準に維持されているので、緊急時に燃料ガスを第二分岐ラインおよびバイパスラインの損傷を考慮することなく即座にそれらへ流入させ、プラント内を減圧させることができる。
【発明の効果】
【００２３】
本発明の石炭ガス化プラントによれば、起動時、バイパスライン等に流入した燃料ガスおよび通常運転時、バイパス弁等から洩れる燃料ガスは、バイパス弁等の下流側に供給される不活性ガスによってガス処理設備へ排出されるので、バイパスライン等での腐食発生を効果的に防止できる。
また、バイパスラインの腐食対策として、結露しないようにバイパスラインを加熱するあるいはバイパスラインを高価な耐腐食性材料で形成する等が不要となるので、石炭ガス化プラントを安価に製造できる。
さらに、通常運転中、バイパスラインの圧力は、主系統ラインの圧力と略同等に維持されているので、緊急時あるいは停止時に即座にバイパス弁を開放し、主系統ライン中の機器の減圧を行うことができる。
【００２４】
本発明の石炭ガス化プラントの運転方法によれば、起動時、バイパスライン等に流入した燃料ガスおよび通常運転時、バイパス弁等から洩れる燃料ガスは、バイパス弁等の下流側に供給される不活性ガスによってガス処理設備へ排出されるので、バイパスライン等での腐食発生を効果的に防止できる。
また、バイパスライン等の腐食対策として、結露しないようにバイパスライン等を加熱するあるいはバイパスライン等を高価な耐腐食性材料で形成するといった手段が不要となるので、石炭ガス化プラントを安価に製造できる。
さらに、通常運転時、バイパスライン内の圧力は燃料ガスの圧力と略同水準に維持されているので、緊急時に燃料ガスをバイパスライン等の損傷を考慮することなく即座にバイパスライン等へ流入させ、プラント内を減圧させることができる。
【発明を実施するための最良の形態】
【００２５】
以下、本発明の一実施形態にかかる石炭ガス化複合発電装置（石炭ガス化プラント）１について、図１を用いて説明する。
図１は石炭ガス化複合発電装置１の概略構成を示すブロック図である。
石炭ガス化複合発電装置１には、石炭ガス化炉３と、除塵装置５と、ガス精製装置７と、ガスタービン燃焼器９と、ガスタービン１１と、排熱回収ボイラ１３と、が備えられている。
これらの各機器は、主系統ライン１５によって連結されている。
【００２６】
石炭ガス化炉３には、微粉炭１７、ガス化剤１９およびチャー２１が圧力をかけられ供給される。微粉炭１７は、図示しない前工程で、原料炭を粉砕して数μｍ〜数百μｍの微粉炭とされ供給される。ガス化剤１９としては、空気または酸素が供給される。チャー２１は、後述するように石炭ガス化炉３で生成された燃料ガスに含まれる未燃焼分である。
石炭ガス化炉３では、これらの微粉炭１７、ガス化剤１９およびチャー２１を燃焼することにより、微粉炭１７およびチャー２１中の炭素が高温ガス中のＣＯ２およびＨ２Ｏと反応してＣＯやＨ２を生成する吸熱反応が行われる。このＣＯやＨ２がガスタービンの燃料ガスとされるものである。
【００２７】
石炭ガス化炉３で生成された燃料ガスは、未燃焼の固形分であるチャー等を含んでおり、主系統ライン１５を通って除塵装置５へと導かれる。除塵装置５は、ポーラスフィルタを備えており、ポーラスフィルタを通過させることによって燃料ガスに混在するチャー２１を捕捉して回収する。このように回収されたチャー２１は、石炭ガス化炉３へ返送されてリサイクルされる。
主系統ライン１５における除塵装置５の上流側には、除塵装置入口弁２３が設けられている。
【００２８】
除塵装置５を通過した燃料ガスは、ガス精製装置７へと送られる。
ガス精製装置７では、例えば燃料ガスから硫化物が取り除かれる。ガス精製装置７は、通常湿式のものであり、燃料ガス中のＣＯＳを触媒によってＨ２Ｓに変換するＣＯＳ変換器、ガス冷却塔、ガス洗浄塔、Ｈ２Ｓ吸収液が満たされたＨ２Ｓ吸収塔および冷却された燃料ガスを昇温する熱交換器等で構成されている。
ガス精製装置７で脱硫等がなされた燃料ガスは、主系統ライン１５によってガスタービン燃焼器９へと導かれる。
主系統ライン１５におけるガスタービン燃焼器９の上流側には、流量調節弁２５が設けられている。
【００２９】
ガスタービン１１には、同一の回転軸によって空気圧縮機２７が接続されている。
空気圧縮機２７は、ガスタービン燃焼器９へ圧縮空気を送り出すように構成されている。ガスタービン燃焼器９では、ガス精製装置７から送られる燃料ガスが空気圧縮機２７からの高圧空気によって燃焼され、燃焼ガスとしてガスタービン１１へ供給される。
ガスタービン１１によって駆動される回転軸に接続された発電機２９が、ガスタービン１１を挟んで空気圧縮機２７の反対側に設けられている。
【００３０】
ガスタービン１１からの燃焼排ガスは、排熱回収ボイラ１３へと導かれる。排熱回収ボイラ１３は、ガスタービン１１からの燃焼排ガスによって蒸気を発生するものであり、排熱回収ボイラ１３を通過したガスは、煙突３１から大気へと放出される。
排熱回収ボイラ１３は、生成した蒸気によって例えば、発電機２９へ接続された蒸気タービン（図示省略）を駆動するように構成されている。なお、蒸気タービンは発電機２９とは別な発電機を駆動するようにしてもよい。
【００３１】
主系統ライン１５における石炭ガス化炉３と除塵装置入口弁２３との間の位置（石炭ガス化炉３の出口側）Ａには、バイパスライン３３が接続されている。バイパスライン３３の他端は、フレアスタック（ガス処理設備）３９に接続されている。
ガス処理設備では、ガスを焼却処理するのが通常であり、本実施形態のように煙突の上部で焼却するフレアスタック以外に、地上に覆いを作りその中で焼却するグランドフレアであってもよい。
フレアスタック３９は、焼却処理するため、安全性や配置面の配慮から本体から離れて（例えば数百メートル離れて）設置されることが多い。
【００３２】
バイパスライン３３の上流部（主系統ライン１５に近い位置）には、バイパスライン３３を開閉する除塵装置バイパス弁（バイパス弁）３５が設けられている。
バイパスライン３３における除塵装置バイパス弁３５の直ぐ下流側に窒素ガスを供給する第一窒素投入ライン（第一不活性ガス投入ライン）３７が接続されている。
バイパスライン３３の下流部（フレアスタック３９に近い位置）には、バイパスライン３３を通過するガス流量を調節する処理ガス調節弁４１が設けられている。
バイパスライン３３の処理ガス調節弁４１の上流側には、バイパスライン３３内の圧力を測定する圧力センサ４３が設けられている。処理ガス調節弁４１は、圧力センサ４３の計測値に応じて開度を調節されるように制御される。
【００３３】
主系統ライン１５における除塵装置５とガス精製装置７との間の位置Ｂとバイパスライン３３とを接続する第一分岐ライン４５が接続されている。第一分岐ライン４５には、それを開閉するガス精製バイパス弁（第一分岐弁）４７が設けられている。
第一分岐ライン４５におけるガス精製バイパス弁４７の直ぐ下流側に窒素ガスを供給する第二窒素投入ライン（第二不活性ガス投入ライン）４９が接続されている。
【００３４】
主系統ライン１５におけるガス精製装置７と流量調節弁２５との間の位置Ｃとバイパスライン３３とを接続する第二分岐ライン５１が接続されている。第二分岐ライン５１には、それを開閉するガスタービンバイパス弁（第二分岐弁）５３が設けられている。
第二分岐ライン５１におけるガスタービンバイパス弁５３の直ぐ下流側に窒素ガスを供給する第三窒素投入ライン（第三不活性ガス投入ライン）５５が接続されている。
なお、本実施形態では、不活性ガスとして入手し易さおよび価格等からみて窒素ガスとしているが、これは二酸化炭素、アルゴン、ヘリウム、燃焼排ガス等の燃えないガスであればよい。
また、供給される不活性ガスとしては、水分の少ないものが好適である。
【００３５】
以上説明した本実施形態にかかる石炭ガス化複合発電装置１の動作について説明する。
まず、石炭ガス化複合発電装置１の起動時の手順について説明する。
本実施形態においては、石炭ガス化複合発電装置１のガス通気は、石炭ガス化炉３、除塵装置、ガス精製装置７およびガスタービン１１以降の順序で行われる。
【００３６】
石炭ガス化炉３の起動時には、主系統ライン１５の除塵装置入口弁２３を閉じ、石炭ガス化炉３で生成された燃料ガスが除塵装置５へ送られないようにする。そして、バイパスライン３３の除塵装置バイパス弁３５を開いて、石炭ガス化炉３で生成された燃料ガスがバイパスライン３３を通ってフレアスタック３９へ排出されるようにする。
この状態で、石炭ガス化炉３を起動する。石炭ガス化炉３で生成される起動時の燃料ガスは、除塵装置バイパス弁３５からバイパスライン３３を通ってフレアスタック３９へ送られる。そして、フレアスタック３９で燃焼処理され大気中に放出される。
【００３７】
石炭ガス化炉３が十分に昇温昇圧されると、除塵装置入口弁２３が開かれて、石炭ガス化炉３で生成された燃料ガスは除塵装置５に送られることになる。同時に、除塵装置バイパス弁３５が閉じられ、石炭ガス化炉３からバイパスライン３３への燃料ガスの供給がなくなる。
この状態で、第一窒素投入ライン３７からバイパスライン３３へ窒素ガスが供給され、バイパスライン３３に残留した燃料ガスをフレアスタック３９へ導き、焼却処理して排出する。
【００３８】
次に、除塵装置５の起動運転を開始するとともにガス精製バイパス弁４７を開く。除塵装置５からの燃料ガスは第一分岐ライン４５およびバイパスライン３３を通ってフレアスタック３９へ送られる。そして、フレアスタック３９で燃焼処理され大気中に放出される。
除塵装置５の起動運転が完了すると、ガス精製バイパス弁４７が閉じられ、燃料ガスはガス精製装置７に送られる。同時に、除塵装置バイパス弁３５が閉じられ、石炭ガス化炉３からバイパスライン３３へ燃料ガスが供給されなくなる。
【００３９】
この状態で、第二窒素投入ライン４９から第一分岐ライン４５へ窒素ガスが供給され、第一分岐ライン４５のガス精製バイパス弁４７より下流に残留した燃料ガスをフレアスタック３９へ導き、焼却処理して排出する。
なお、ガス精製バイパス弁４７の位置をバイパスライン３３に近づければ、第一分岐ライン４５のガス精製バイパス弁４７から下流側の距離が短くなるので、第一窒素投入ライン３７から供給される窒素ガスによってこの部分の残留燃焼ガスを排出することができる。
この場合には、第二窒素ガス投入ライン４９を省略することができる。
【００４０】
次に、調節弁２５を閉じたままで、ガス精製装置７の起動運転を開始するとともにガスタービンバイパス弁５３を開く。ガス精製装置７からの燃料ガスは第二分岐ライン５１およびバイパスライン３３を通ってフレアスタック３９へ送られる。そして、フレアスタック３９で燃焼処理され大気中に放出される。
ガス精製装置７の起動運転が完了すると、調節弁２５が開かれて燃料ガスはタービン燃焼装置９に送られる。同時に、ガスタービンバイパス弁５３が閉じられ、第二分岐ライン５１およびバイパスライン３３へ燃料ガスが供給されなくなる。
この状態で、第三窒素投入ライン５５から第二分岐ライン５１へ窒素ガスが供給され、第二分岐ライン５１のガスタービンバイパス弁５３ガス精製バイパス弁４７が閉じられ、より下流に残留した燃料ガスをフレアスタック３９へ導き、焼却処理して排出する。
【００４１】
このように、起動時、主系統ライン１５側からバイパスライン３３等に流入して残留した燃料ガスは、第一窒素投入ライン３７、第二窒素投入ライン４９あるいは第三窒素投入ライン５５から供給される窒素ガスによってフレアスタック３９へ送られ、燃焼処理されるので、燃料ガスがバイパスラインに滞留することがなくなる。
【００４２】
このように起動された石炭ガス化複合発電装置１は、通常運転に入る。
石炭ガス化炉３では、圧力をかけて供給された微粉炭１７、ガス化剤１９およびチャー２１を燃焼することにより、微粉炭１７およびチャー２１中の炭素が高温ガス中のＣＯ２およびＨ２Ｏと反応してＣＯやＨ２を成分とする燃料ガスが生成される。
石炭ガス化炉３で生成された燃料ガスは、主系統ライン１５を通って除塵装置５へと導かれ、除塵装置５によって、混在するチャー２１が回収される。そして、回収されたチャー２１は、石炭ガス化炉３へ返送されてリサイクルされる。
【００４３】
除塵装置５を通過した燃料ガスは、ガス精製装置７へと送られ、例えば燃料ガスから硫化物が取り除かれる。
ガス精製装置７で脱硫等がなされた燃料ガスは、主系統ライン１５によってガスタービン燃焼器９へと導かれ、空気圧縮機２７から送られる圧縮空気とともに燃焼される。
ガスタービン燃焼器９では、ガス精製装置７から送られる燃料ガスが空気圧縮機２７からの高圧空気によって燃焼され、燃焼ガスとしてガスタービン１１へ供給される。
この燃焼ガスによってガスタービン１１が回転駆動され、その回転軸に接続された発電機２９が回転駆動力を電力に変換する。
【００４４】
ガスタービン１１を通過した燃焼排ガスは、排熱回収ボイラ１３に導かれ、この燃焼排ガスの顕熱を利用して蒸気が発生せられる。排熱回収ボイラ１３において発生した蒸気は、例えば図示しない蒸気タービンを駆動して、発電等の用途に用いられる。
排熱回収ボイラ１３を通過した燃焼排ガスは、煙突３１に導かれ、煙突３１から大気中に放出される。
【００４５】
この時、除塵装置バイパス弁３５、ガス精製バイパス弁４７およびガスタービンバイパス弁５３は閉じており、主系統ライン１５からバイパスライン３３へ燃料ガスは導かれていない。
一方、第一窒素投入ライン３７、第二窒素投入ライン４９および第三窒素投入ライン５５からは、引き続き常時窒素ガスが供給されている。そして、まず、処理ガス調節弁４１を閉じてバイパスライン３３内の圧力を主系統ライン１５内の約３ＭＰａの圧力になるまで昇圧する。その後、処理ガス調節弁４１は、バイパスライン３３内の圧力を計測する圧力センサ４３により開閉量を制御されて、主系統ライン１５の圧力と略均等となるように常時調節される。すなわち、窒素ガスは、処理ガス調節弁４１からほぼ常時フレアスタック３９へ流れていることになる。
【００４６】
前述のように、除塵装置バイパス弁３５、ガス精製バイパス弁４７およびガスタービンバイパス弁５３は閉じているが、主系統ライン１５から燃料がどうしても洩れてきてしまう。この洩れた燃料ガスは、第一窒素投入ライン３７、第二窒素投入ライン４９および第三窒素投入ライン５５から常時供給されている窒素ガスによってバイパスライン３３を通ってフレアスタック３９へ送られ、焼却処理され、大気中に放出される。
【００４７】
前述したように、起動時、主系統ライン１５側からバイパスライン３３等に流入して残留した燃料ガスとともに通常運転時に主系統ライン１５側から洩れてくる燃料ガスは、第一窒素投入ライン３７、第二窒素投入ライン４９あるいは第三窒素投入ライン５５から供給される窒素ガスによってフレアスタック３９へ送られ、燃焼処理されるので、燃料ガスがバイパスラインに滞留することがなくなる。
このため、燃料ガスが冷えて結露し硫酸等の腐食物質が発生することがなくなるので、除塵装置バイパス弁３５、ガス精製バイパス弁４７およびガスタービンバイパス弁５３の下流側のバイパスライン３３、第一分岐ライン４５および第二分岐ライン５１での腐食発生を効果的に防止できる。
【００４８】
また、除塵装置バイパス弁３５、ガス精製バイパス弁４７およびガスタービンバイパス弁５３の下流側にある長大なバイパスライン３３、第一分岐ライン４５および第二分岐ライン５１の腐食対策として、結露しないように加熱するあるいはこれらを高価な耐腐食性材料で形成するといった手段が不要となるので、石炭ガス化複合発電装置１を安価に製造できる。
【００４９】
次に、石炭ガス化複合発電装置１を停止する場合には、ガスタービンバイパス弁５３を開く。こうしても、主系統ライン１５とバイパスライン３３とは圧力が均衡しているので燃料ガスはバイパスライン３３へ爆発的に噴出することはない。このため、次いで処理ガス調節弁４１を開く。これにより、バイパスライン３３中の窒素ガスがフレアスタック３９より放出されて、バイパスライン３３の圧力が下がり、それに伴い主系統ライン１５中の燃焼ガスが第二分岐ライン５１を通ってバイパスライン３３に流入し、フレアスタック３９で焼却処理をされて大気中に放出される。
これにより、主系統ライン１５が減圧され、各機器を停止することができる。
なお、ここでは、ガスタービンバイパス弁５３のみを開くこととしたが、除塵装置バイパス弁３５あるいはガス精製バイパス弁４７を開放してもよいし、これらの複数を同時に開放してもよい。
【００５０】
また、例えば石炭ガス化炉３でガス洩れが発生したような緊急時には、除塵装置入口弁２３を閉じ、除塵装置バイパス弁３５を開く。こうしても、主系統ライン１５とバイパスライン３３とは圧力が均衡しているので燃料ガスはバイパスライン３３へ爆発的に噴出することはない。このため、同時に処理ガス調節弁４１を開く。これにより、バイパスライン３３中の窒素ガスがフレアスタック３９より放出されて、バイパスライン３３の圧力が下がり、それに伴い石炭ガス化炉３からの燃焼ガスが除塵装置バイパス弁３５を通ってバイパスライン３３に流入し、フレアスタック３９で焼却処理をされて大気中に放出される。
これにより、石炭ガス化炉３が減圧されるので、石炭ガス化炉３停止して、点検することができる。
なお、除塵装置５に異常が発生した場合には、ガス精製バイパス弁４７を開いて、除塵装置５を減圧し、ガス精製装置７に異常が発生した場合には、ガスタービンバイパス弁５３を開く等、異常の発生した場所により最適の弁を開くようにすればよい。
【００５１】
このように、通常運転中、第一窒素投入ライン３７、第二窒素投入ライン４９および第三窒素投入ライン５５から常時窒素ガスが供給され、処理ガス調節弁４１によりバイパスライン３３、第一分岐ライン４５および第二分岐ライン５１中の圧力は、主系統ライン１５中の圧力と均等するように維持されているので、除塵装置バイパス弁３５、ガス精製バイパス弁４７およびガスタービンバイパス弁５３のいずれを開いても、主系統ライン１５からバイパスライン３３側へ燃料ガスが爆発的に、例えば音速のような超高速で噴出することはない。
【００５２】
このため、運転中にバイパスライン３３、第一分岐ライン４５および第二分岐ライン５１の損傷を考慮することなく、除塵装置バイパス弁３５、ガス精製バイパス弁４７およびガスタービンバイパス弁５３を開放することができる。
このため、緊急時あるいは運転停止時に、即座に除塵装置バイパス弁３５、ガス精製バイパス弁４７およびガスタービンバイパス弁５３を開放し、主系統ライン中の機器の減圧を行うことができる。
【図面の簡単な説明】
【００５３】
【図１】本発明の一実施形態に係る石炭ガス化複合発電装置の概略構成を示すブロック図である。
【符号の説明】
【００５４】
１  石炭ガス化複合発電装置
３  石炭ガス化炉
５  除塵装置
７  ガス精製装置
１１  ガスタービン
１５  主系統ライン
３３  バイパスライン
３５  除塵装置バイパス弁
３７  第一窒素投入ライン
３９  フレアスタック
４１  処理ガス調節弁
４５  第一分岐ライン
４７  ガス精製バイパス弁
４９  第二窒素投入ライン
５１  第二分岐ライン
５３  ガスタービンバイパス弁
５５  第三窒素投入ライン
【図１】
2006152081.tif 000003